(57)【要約】【課題】  津波の圧力によって浮島構造体とガイドポールとの連結部に回転方向に大きな荷重がかからないようにし、津波来襲時に浮島構造体がガイドポールに案内されてスムーズに浮上するようにする。【解決手段】浮島構造体は、中空の円柱形状を有し、上板部の上に多数の人間を収容できるスペースが形成され内部の空間部を貫通して管状部が形成されている。海水は海水取り入れ口から貯水用容体内に導かれる。浮島構造体の管状部側には複数個のガイド用転動体が設けられ、各ガイド用転動体の曲面がガイドポールの周面に点接触し、浮島構造体はガイドポールに対して昇降及び回転自在となっている。【選択図】図１
2014129642.tif 000002
【特許請求の範囲】
【請求項１】
断面円形の周面を有し、地上に対して垂直に上方に延びるガイドポールと、中空の胴部を有し、該胴部の上部に多数の人間を収容するための避難用上板部が配置され、該胴部の内部の空間部を貫通して管状部が形成され、該管状部が前記ガイドポールに嵌挿された浮島構造体とを備え、前記浮島構造体の胴部を前記ガイドポールに対して昇降及び回転自在としたことを特徴とする津波避難装置。
【請求項２】
海の近くの丘に掘られた穴に嵌合配置され、円形の底壁部と該底壁部の周縁に立設された筒状の周壁部とから形成され該周壁部に海水取り入れ口を有する貯水用容体と、海水を前記貯水用容体の海水取り入れ口に導くパイプとを配備し、前記ガイドポールの下方部分を地中深く埋没した状態で前記貯水用容体の底壁部の略中央に立設し、前記浮島構造体を前記貯水用容体内に配置したことを特徴とする請求項１に記載の津波避難装置。
【請求項３】
前記浮島構造体を、地上より所定の高さに支持したことを特徴とする請求項１に記載の津波避難装置。
【請求項４】
前記浮島構造体の底部に方向舵を設けたことを特徴とする請求項１に記載の津波避難装置。
【請求項５】
前記浮島構造体の底部に、先細りの先端を有する流線型ブロックを設けたことを特徴とする請求項１に記載の津波避難装置。
【請求項６】
前記浮島構造体の胴部に浮体素材を充填配置したことを特徴とする請求項１に記載の津波避難装置  
【請求項７】
前記避難用上板部を前記浮島構造体の胴部とは別体に、該浮島構造体の胴部に対して回転自在に構成し、前記避難用上板部を回転防止機構を介して前記ガイドポールに昇降自在に取り付けたことを特徴とする請求項１に記載の津波避難装置。
【発明の詳細な説明】
【技術分野】
【０００１】
本発明は、津波の発生時に避難場所として使用できるようにした津波避難装置に関する。
【背景技術】
【０００２】
津波が来たときに、地面に立設した芯柱に沿ってフロートが浮上し、フロートに避難した住民を津波の被害から守る浮体式津波避難艇が従来知られている（例えば特許文献１参照）。
その他、フロートの浮力により避難台を、地中に打ち込まれた支柱に沿って上昇可能とした構成のフロート式津波避難所が従来知られている（例えば特許文献２参照）。
【先行技術文献】
【特許文献】
【０００３】
【特許文献１】特開２０１２−１８８９２４号公報
【特許文献２】特開２００６−１１２０８９号公報
【発明の概要】
【発明が解決しようとする課題】
【０００４】
従来の津波避難装置は、海水によって浮上するフロートは、上方に延びる支柱に回転しないように支持された構成となっている。津波によってフロートが浮上するとき、フロートには波の力によって大きな回転方向の圧力がかかり、この圧力により、フロートと支柱との間の結合部に大きな摩擦力がかかる。
そのため、フロートの浮上が円滑に行われないという問題点がある。また、フロートに重量の大きな浮遊物が衝突したとき、フロートが回転しないと、その衝撃力が大きくフロートに作用し極めて危険である。そのためフロートと支柱との間の結合部の機構を強固に構成しなければならず、工事費や材料費が高くつき、コスト高となるという問題点がある。
本発明は、上記問題点を解決することを目的とするものである。
【課題を解決するための手段】
【０００５】
上記目的を達成するため、本発明は、断面円形の周面を有し、地上に対して垂直に上方に延びるガイドポールと、中空の胴部を有し、該胴部の上部に多数の人間を収容するための避難用上板部が配置され、該胴部の内部の空間部を貫通して管状部が形成され、該管状部が前記ガイドポールに嵌挿された浮島構造体とを備え、前記浮島構造体の胴部を前記ガイドポールに対して昇降及び回転自在としたことを特徴とする。
また本発明は、海の近くの丘に掘られた穴に嵌合配置され、円形の底壁部と該底壁部の周縁に立設された筒状の周壁部とから形成され該周壁部に海水取り入れ口を有する貯水用容体と、海水を前記貯水用容体の海水取り入れ口に導くパイプとを配備し、前記ガイドポールの下方部分を地中深く埋没した状態で前記貯水用容体の底壁部の略中央に立設し、前記浮島構造体を前記貯水用容体内に配置したことを特徴とする。
また本発明は、前記浮島構造体を、地上より所定の高さに支持したことを特徴とする。
また本発明は、前記浮島構造体の底部に方向舵を設けたことを特徴とする。
また本発明は、前記浮島構造体の底部に、先細りの先端を有する流線型ブロックを設けたことを特徴とする。
また本発明は、前記浮島構造体の胴部に浮体素材を充填配置したことを特徴とする。
また本発明は、前記避難用上板部を前記浮島構造体の胴部とは別体に、該浮島構造体の胴部に対して回転自在に構成し、前記避難用上板部を回転防止機構を介して前記ガイドポールに昇降自在に取り付けたことを特徴とするものである。
【発明の効果】
【０００６】
本発明は、浮島構造体の胴部がガイドポールに対して回転自在なため、浮島構造体とガイドポールとの間に回転方向に大きな荷重がかかるのを防止でき、津波襲来時、浮島構造体が円滑にガイドポールに沿って上昇することができる。
【図面の簡単な説明】
【０００７】
【図１】本装置の全体外観説明図である。
【図２】本装置の全体外観説明図である。
【図３】本装置の断面説明図である。
【図４】浮島構造体の平面図である。
【図５】本装置の断面説明図である。
【図６】浮島構造体の底面図である。
【図７】本装置の他の実施形態の断面説明図である。
【図８】本装置の他の実施形態の断面説明図である。
【図９】本装置の他の実施形態の断面説明図である。
【図１０】本装置の他の実施形態の断面説明図である。
【図１１】本装置の他の実施形態の外観説明図である。
【図１２】本装置の他の実施形態の断面説明図である。
【図１３】本装置の他の実施形態の断面説明図である。
【図１４】本装置の他の実施形態の断面説明図である。
【図１５】本装置の他の実施形態の断面説明図である。
【発明を実施するための形態】
【０００８】
以下に本発明の構成を添付した図面を参照して詳細に説明する。
図１は本発明に係る津波避難装置の全体構成を示している。津波避難装置２は、貯水用容体４と、該貯水用容体４の底部の略中心に、地面に対して垂直に立設された複数段式のガイドポール６と、該複数段式ガイドポール６に昇降自在に且つ回転自在に支承された浮島構造体８とより構成されている。
【０００９】
貯水用容体４は、津波の及ぶ海岸近くに人工的に作った丘１０の穴に内置されている。貯水用容体４は鋼板や、あるいはコンクリートなどの防水用壁材からなる底部４ａと、周壁部４ｂを有している。容体４の内部空間は略円柱状に形成され、容体４の内部は、上部が開放されている。
【００１０】
二段式のガイドポール６は、外周部の断面形状が円形の筒状の外側ポール６ａと、これの内側に内側ポール６ｂが複数の転動体１４，１４を介して、軸方向にスライド自在に且つ、外側ポール６ａに対して回転自在に嵌挿配置されている。
【００１１】
外側ポール６ａの下部は、地中に深く打ち込まれ、基礎材によって、強固に地中に固定されている。二段式ガイドポール６は、容体４の底部４ａの中央に配置され、外側ポール６ａは、容体４の底部４ａに形成された穴を貫通している。容体４の底部４ａの穴と、外側ポール６ａとの嵌合部は、溶接や、コンクリートなどによって密封処理が施されている。
【００１２】
貯水用容体４の底部４ａの中央には、上方に盛り上がった凸部が形成され、凸部により底部４ａの内壁面の高さに周縁部と中央とで段差が形成されている。浮島構造体８は、貯水用容体４内に配置され、図５に示すように、中央部に一体的に設けられた管状部８ａが外側ポール６ａの外周面に嵌挿配置されている。
【００１３】
浮島構造体８の管状部８ａの上下に回転自在に配置された複数の転動体１４，１４は外側ポール６ａの外周面に弾発的に当接し、上下各複数の転動体１４と複数の転動体１４によって、浮島構造体８は、外側ポール６ａに沿って昇降可能に且つ、回転可能に構成されている。
【００１４】
前記各転動体１４，１４は、前記浮島構造体８の管状部８ａに設けられた転動体保持体にそれぞれガイドポール６の長手方向に対して直角な軸線を中心として回転自在に保持され、各転動体１４，１４は、管状部８ａの上下の２位置において、外側ポール６ａの外周面に四方向から弾発的に点接触している。
【００１５】
各転動体１４を保持する転動体保持体は所定の範囲内で揺動自在に管状部８ａに支持され、それぞれ弾発装置を有し、この弾発装置によって一方向に付勢されている。
【００１６】
浮島構造体８は、円盤状の底壁部８ｂと、該底壁部８ｂの縁部から垂直に所定の高さに立ち上がった周壁部８ｃととからなる胴部と、周壁部８ｃの上縁に底壁部８ｂと水平となるように固定配置された避難用上板部８ｄとより構成され、浮島構造体８の、底壁部８ｂと周壁部８ｃと避難用上板部８ｄとで囲まれた内部スペースは、浮上用のフロート空間部を構成している。
【００１７】
前記底壁部８ｂと避難用上板部８ｄの中央にはそれぞれ円形の開口部が形成され、該開口部に管状部８ａが固定されている。管状部８ａと各開口部との間は溶接により固着されている。貯水用容体４内に配置された浮島構造体８は、避難用上板部８ｄと貯水用容体４の上縁部との高さが一致した状態において、外側ポール６ａに固設された板状のストッパー１６により係止され、該状態において、浮島構造体８の底面は、貯水用容体４の凸部に近接している。
【００１８】
浮島構造体８の底部には、板状の方向舵１８が３枚該底部に沿い該底部の中心を通る軸線に対して平行に延びるように平行方向に所定の長さを有し、且つ互いに所定間隔を存して設けられ、該各方向舵１８は浮島構造体８の底部から下方に垂直に突出する所定の縦幅を有している。前記浮島構造体８の底壁部８ｂの、前記方向舵１８の配置側とは反対側には流線形ブロック２０が設けられている。流線形ブロック２０は、方向舵１８と同一方向を向いて先細り状の先端部が形成され、全体形状が流線形を構成している。
【００１９】
前記内側ポール６ｂの下部に設けられた各転動体１２は外側ポール６ａの内周面に点接触している。また、外側ポール６ａの内側の上部には転動体２２が複数回転自在に配設され、各転動体２２は内側ポール６ｂの外周面に点接触している。
【００２０】
内側ポール６ｂ側の各転動体１２と外側ポール６ａ側の各転動体２２によって構成されるガイド機構により、内側ポール６ｂは外側ポール６ａに沿って昇降可能且つ回転自在に構成されている。
内側ポール６ｂ側には、ストッパー２４が設けられ、これに対応して外側ポール６ａ側にストッパー２６が設けられている。また、内側ポール６ｂの上端には、浮島構造体８側の管状部８ａの上端と係合する想定外脱出キャップ２８が脱着可能に設けられている。
【００２１】
貯水用容体４の周壁部４ｂには、メンテナンス用のストッパー機構３０が左右に設けられ、地上から操作部を操作することで外部からストッパー３０ａを容体４の内部に突出させあるいは後退させることができるように構成されている。
【００２２】
貯水用容体４の下部には、複数の導管３２が連結し、該導管３２の一方口は地面の表面に開口し、海水取り入れ口３４となっている。導管３２内には、貯水用容体４内にメンテナンス用の作業員が出入りすることができるように、はしご３６が配設されている。
【００２３】
また、貯水用容体４の底部には給排水用パイプ３８が連結し、パイプ３８の給水口に水道を連結して給排水ポンプ４０を操作することで、外部からパイプ３８を通じて、貯水用容体４内に給水することができ、また、貯水用容体４内の水を外部に排水することができるように構成されている。
【００２４】
図中４２は、浮島構造体８の補強材、４４は防災用品入れ、４６は安全フェンス、４８は波除け部材であり、それぞれ、浮島構造体８に設けられている。普段の浮島構造体８の避難用上板部８ｄの上は、丘の公園として利用することができ、避難用上板部８ｄのフラットな平面は、約３０人〜数百人単位で避難できるスペースに構築される。
【００２５】
避難用上板部８ｄに住民が避難した浮島構造体８に津波が押し寄せると、海水５０が、海水取り入れ口３４から貯水用容体４内に流入し、容体４内が海水で満たされる。容体４内に流入した海水の浮力により、浮島構造体８は、ガイドポール６に沿って津波の高さに応じて上昇する。
【００２６】
押し寄せる津波の方向に応じて、方向舵１８と流線形ブロック２０の作用により、浮島構造体８はその方向が規制され、安定した状態を保持する。浮島構造体８の管状部８ａの上端が想定外脱出キャップ２８に達し、更に上昇すると、内側ポール６ｂが、外側ポール６ａから引き出されて上昇し、転動体１４，１４が、引き出された内側ポール６ｂの外周面に弾接する。
【００２７】
浮島構造体８側の転動体１４は、ガイドポール６に対して点接触のため、浮島構造体８は、ガイドポール６に対して回転可能であり、更に、方向舵１８によってその向きが規制されるため、ガイドポール６と浮島構造体８との間のガイド機構に大きな荷重がかかることがない。
【００２８】
本発明の実施に際しては、政府発表の大津波予測に基づいて、上記ガイドポール６の伸長最大高さが設定される。予測が１０ｍで、１５ｍの襲来など想定外の津波が来たときの安全装置として、浮島構造体８が上昇して管状部８ａがキャップ２８の高さを越えると、キャップ２８が外れ、浮島構造体８はガイドポール６から外れるように構成されている。これにより、浮島構造体８はガイドポール６から外れて単独で漂流することで、想定外の津波から人命を守ることができる。
【００２９】
次に、本装置のテスト動作について説明する。
まず、海水取り入れ口３４を閉じた状態で、給排水ポンプ３８を給水側に駆動し、貯水用容体４内を水で満たし、その上端位まで、浮島構造体８を浮上させ、浮島構造体８が正常に浮上するかどうか確認する。
【００３０】
次に、貯水用容体４内部のメンテナンスを行う場合には、上記テストを行った際、浮島構造体８が浮上した状態で、ストッパー３０ａを突出させる。該状態で給排水ポンプ３８を排水側に駆動する。容体４内の水の減少に伴い、浮島構造体８が下降すると、浮島構造体８の底壁部８ｂはストッパー３０ａによって係止され、浮島構造体８は、所定の上昇位置に係止される。
【００３１】
該状態で更に給排水ポンプ３８で貯水用容体４内の水をくみ出し、内部を空にする。次に海水取り入れ口３４を開き、作業員が貯水用容体４内に入って浮島構造体８の底の下に入り込み、本装置のメンテナンスを行う。
【００３２】
上記実施形態では、浮島構造体の全体をガイドポールに対して回転自在としたが、図７に示すように、避難用の上板部５０を設けて、浮島構造体８の上板部を二重構造とし、この避難用の上板部５０を、浮島構造体８の本体側に固定された上板部８ｄに対して回転自在とするとともに、避難用上板部５０が、ガイドポール６に対して回転しない構成としても良い。図７において、ガイドポール５８の外周面に長手方向に沿って複数の溝５２が形成されている。
【００３３】
上板部５０の中心には、管状部５４が固設され、該管状部５４は、地中から立設されたガイドポール５８に遊嵌している。管状部５４には、その上下に前記溝５２に対応してガイド用転動体５６が取り付けられ、これらのガイド用転動体５６は、対応する溝５２に嵌合配置されている。
【００３４】
ガイド用転動体５６の表面は、ガイドポール５８に回転自在に点接触し、上板部５０を、溝５２に沿って上下方向に案内するとともに、各ガイド用転動体５６の両側面は、横方向の移動が溝５２に規制され、これにより上板部５０は、ガイドポール５８に対する回転が阻止されている。
【００３５】
上板部５０と浮島構造体８の本体側の上板部８ｄとの間には、複数の転動体６０が配置され、これらの転動体６０の案内によって、上板部５０に対して、浮島構造体８の本体側が回転自在な構成となっている。避難用上板部５０には、安全フェンス４６や防災用具入れ等が設けられている。
【００３６】
浮島構造体８の中央部には管状部８ａが形成され、該管状部８ａは転動体１４を介して、ガイドポール５８の外周面に昇降自在及び回転自在に嵌合している。他の構成は、図３に示す第１の実施形態と同一である。尚、本実施形態ではガイドポール５８の内部には、内側ガイドポールは設けられていないが第１の実施形態と同様に、複数段式のガイドポールとしてもよい。
【００３７】
上記した構成において、津波がきたとき、浮島構造体８が回転しても、避難用上板部５０は、ガイドポール５８の溝５２とこれに嵌合するガイド用転動体５６との回転阻止構造により、回転することがない。また、浮島構造体８がガイドポール５８から離脱し海上を漂流するとき、避難用上板部５０が浮島構造体８の本体側から外れないように、避難用上板部５０には上板部８ｄと係合する係合部５０ａが設けられている。
【００３８】
図７に示す上記実施形態では、浮島構造体８の上板部を二重構造としたが図８に示すように、上板部８ｄを浮島構造体８の本体から独立した一重構造としても良い。図８において、上板部８ｄは、浮島構造体８の筒体部８ｃの上端縁に載置されている。
【００３９】
上板部８ｄの中央に固設された管状部６２には、上下にガイド用転動体６４が取り付けられ、該ガイド用転動体６４は、ガイドポール５８の長手方向に沿って形成された回転止め用の溝５２に嵌合し、ガイド用転動体６４の周面は、溝５２の底面に回転自在に当接している。上板部８ｄの中央に固設された管状部６２はガイド用転動体６４を介してガイドポール５８に沿って昇降可能に取り付けられ、回転止め用の溝５２とこれに嵌合するガイド用転動体６４はガイドポール５８に対する上板部８ｄの回転を防止する回転防止機構を構成している。
【００４０】
また、浮島構造体８がガイドポール５８から離脱し海上を漂流するとき、避難用上板部８ｄが浮島構造体８の本体側から外れないように、避難用上板部８ｄには浮島構造体８の胴部である周壁部８ｃと係合する係合部（図示省略）が設けられている。
他の構成は、図７に示す第２の実施形態と同一である。
【００４１】
上記実施形態では、浮島構造体８の内部を空洞に構成し、この空洞によって浮島構造体８に浮力が生じるようにしてあるが、浮島構造体８の本体内部に更に浮力を大きくするために、国土交通省で開発している浮桟橋やその他超大型浮体による海洋空間の利用などで使用されている浮体素材（発泡材等）を充填するようにしても良い。
【００４２】
図９は、浮島構造体８’を上下二層構造とし、上部層である上部チャンバー８ｅに、浮体素材６６を充填し、下層部の下部チャンバー８ｆを海水注入部とした実施形態を示している。下部チャンバー８ｆの底部には複数の穴（図示省略）が形成され、この穴から内部に海水が浸入する構造となっている。上部チャンバー８ｅに浮体素材６６を充填することで、大津波が襲来して、いろいろな浮遊物が衝突し、浮島構造体８の本体に穴が空いても浮島構造体８’は沈むことがない構造となる。
【００４３】
また、浮島構造体８’が、ガイドポール５８から離脱し、単独で海上を浮遊するときに、下部チャンバー８ｆに海水が充満していることで、海水の重量により、浮島構造体８’の横転を防止でき、安定的に浮遊させることができる。尚、浮島構造体８’の下部チャンバー８ｆの底部に形成された穴に蓋を設け浮島構造体８’がガイドポール５８から脱出したときに、自動的に蓋が開き、海水が下部チャンバー８ｅに入り込む構成とすることもできる。図９に示す実施形態の他の構成は、図７に示す実施形態の構成と同一である。
【００４４】
尚、図９に示す上記実施形態では、浮島構造体８’の上板部を二重構造としたが、図１０に示すように、上板部８ｄを浮島構造体８’の本体から独立した一重構造としても良い。図１０において、上板部８ｄは浮島構造体８’の周壁部８ｃ’の上端縁に載置されている。図１０において、浮島構造体８’は上下二層構造となっており、上部層である上部チャンバー８ｅに、浮体素材６６を充填し、下部層の下部チャンバー８ｆを海水注入部とした実施形態を示している。
【００４５】
下部チャンバー８ｆの底部には複数の穴が形成され、この穴から内部に海水が浸入する。上部チャンバー８ｅに浮体素材６６を充填することで、大津波が襲来して、いろいろな浮遊物が衝突し、浮島構造体８’の本体に穴が空いても、浮島構造体８’は沈むことがない構造となる。図１０に示す実施形態の他の構造は、図８に示す実施形態と同一であり、同一の構造部分は同一の符号を付し、対応関係を示している。
【００４６】
次に本発明の他の実施形態を図１１及び図１２を参照して説明する。
図１１はタワー型避難装置の外観図を示している。ガイドポール６８を垂直に保持する支柱ブロック７０は、その下部が地中に強固に固定され、支持部７０ａが地面から所定高さ、垂直方向に突出している。支柱ブロック７０はコンクリートなどの強固な素材により構成され、地面からの高さは、想定される標準的な規模の小型の津波の高さに基づいて適宜設定されている。また、ガイドポール６８の高さは想定される大型の津波の高さ或いは想定外の高さに基づいて適宜設定されている。
【００４７】
支柱ブロック７０の上端には、円筒型の浮島構造体７２を所定の高さに支持する浮島支持面が形成されている。浮島構造体７２は、二重構造の空洞の胴部７２ａと、該胴部７２ａに固定され、該胴部７２ａの上部開口部を塞ぐ上板部７２ｂと、該上板部７２ｂの上に載置された避難用上板部７２ｃと、胴部７２ａの中央部に形成された管状部７２ｄと、避難用上板部７２ｃの中央部に形成された管状部７２ｅとを備えている。
【００４８】
前記上下の上板部７２ｃ，７２ｂとの間には、複数の転動体７４が配置され、これらの転動体７４の案内によって、上板部７２ｃに対して、浮島構造体７２の胴部７２ａ側が回転自在な構成となっている。避難用の上板部７２ｃの管状部７２ｅは、上方向に延びるガイドポール６８に遊嵌している。管状部７２ｅには、その上下に、ガイドポール６８の長手方向に沿って形成された一対の溝７６に対応して、ガイド用の転動体７８が取り付けられ、これらのガイド用の転動体７８は、対応する溝７６に嵌合配置されている。
【００４９】
ガイド用転動体７８の表面は、ガイドポール６８の周面に回転自在に点接触し、該転動体７８は、上板部７２ｃを溝７６に沿って上下方向に案内するとともに、各ガイド用転動体７８の両側面は、横方向の移動が溝７６に規制され、これにより上板部７２ｃは、ガイドポール６８に対する回転が阻止されている。避難用上板部７２ｃには、安全フェンス８０や防災用具入れ等が設けられている。
【００５０】
浮島構造体７２の胴部７２ａに一体的な管状部７２ｄは、転動体８２を介してガイドポール６８の外周面に昇降自在及び回転自在に嵌合している。前記各転動体８２の各表面は、ガイドポール６８の外周面に点接触している。前記各転動体８２は、管状部７２ｄ側の保持体（図示省略）に、ガイドポール６８の長手方向に対して直角な軸線を中心として回転自在となるように保持されている。
【００５１】
ガイドポール６８の上端には、脱着可能にキャップ８４が嵌合配置されている。支柱ブロック７０の周囲には、地面に立設された複数の支柱からなる支持体８４が設けられ、該支持体８４に平板体８６が支持されている。平板体８６には、穴が形成され、該穴に浮島構造体７２の上部が遊嵌している。平板体８６の上面と避難用上板部７２ｃの上面とは略同一平面上に配置されている。
【００５２】
支持体８４には平板体８６と地面とを連結する階段８８が設けられ、この階段８８を利用して住民は、上板部７２ｃ上に避難することができる構成となっている。平板体８６の周囲には、安全フェンス９０が取り付けられている。
本実施形態では、政府発表の津波予測に基づいて、浮島構造体７２の上面の高さ即ち避難用上板部７２ｃの地面からの高さ及び浮島構造体７２の下面の高さが設定され、想定される標準的な規模の小型の津波であれば浮島構造体７２の下面に届かないようになっている。
【００５３】
上記した構成において、想定内の標準的な規模の津波が来たとき、津波の高さは、浮島構造体７２の下面より低く、浮島構造体７２は、支柱ブロック７０から浮上することなく定位置に保持される。しかしながら、標準的な規模よりも大きなあるいは想定外の高い津波が来た場合には、海水の圧力によって、浮島構造体７２は、上板部７２ｃに避難した住民を載せた状態でガイドポール６８に沿って津波の高さに応じて上昇する。
【００５４】
このとき、上板部７２ｃは、ガイドポール６８に沿って回転することなく上昇するが、浮島構造体７２の本体胴部側は、海水の圧力によって、ガイドポール６８を中心として回転する。これにより、浮島構造体７２の胴部本体側とガイドポール６８との間のスライド結合部に、こじれ方向に大きな荷重がかかることがなく、浮島構造体７２はスムーズにガイドポール６８に案内されて上昇する。更に、想定外の、ガイドポール６８の高さを上まわる大津波が襲来したとき、キャップ８４が外れ、浮島構造体７２はガイドポール６８から外れて避難住民を載せたまま単独で海上を浮遊する。
【００５５】
これにより、想定外の津波から人命を守る事ができる。避難用の上板部７２ｃは、漂流時、浮島構造体７２の胴部本体側から外れないように、上板部７２ｃの周囲に、上板部７２ｂの周縁と回転自在に係合する係合部７２ｆが形成されている。図１２に示す上記実施形態では、浮島構造体７２の上板部を二重構造としたが図１３に示すように、上板部７２ｂ’を浮島構造体７２の本体から独立した一重構造としても良い。
【００５６】
図１３において、上板部７２ｂ’は浮島構造体７２の胴部７２ａの上端縁に載置されている。上板部７２ｂ’の中央に固設された管状部７２ｅには、上下にガイド用転動体７８が取り付けられ、該ガイド用転動体７８は、ガイドポール６８の長手方向に沿って形成された回転止め用の溝７６に嵌合し、ガイド用転動体７８の周面は、溝７６の底面に回転自在に当接している。
【００５７】
管状部７２ｅはガイド用転動体７８を介してガイドポール６８に沿って昇降可能に取り付けられ、回転止め用の溝７６とこれに嵌合するガイド用転動体７８はガイドポール６８に対する上板部７２ｂ’の回転を防止する回転防止機構を構成している。上板部７２ｂ’と胴部７２ａの上端縁との間には、海上漂流時、上板部７２ｂ’が胴部７２ａから外れないように結合する係合機構（図示省略）が設けられている。他の構成は、図１２に示す実施形態と同一である。
【００５８】
上記実施形態では、浮島構造体７２の胴部７２ａの内部は、空洞に構成され、この空洞によって浮島構造体７２に浮力が生じるようにしてあるが、胴部７２ａの内部に更に浮力を大きくするために、国土交通省で開発している浮桟橋その他で使用されている浮体素材（発泡剤材等）を充填するようにしても良い。
図１４は、浮島構造体７２’を上下二層構造とし、上部チャンバー９４に、浮体素材９２を充填し、下部チャンバー９６を海水収納部とした実施形態を示している。
【００５９】
下部チャンバー６の底部には複数の穴（図示省略）が形成され、この穴から内部に海水が浸入する構成となっている。上部チャンバー９４に浮体素材９２を充填することで、大津波が襲来して、いろいろな浮遊物が衝突し、浮島構造体７２’の本体胴部７２ａに穴が空いても、浮島構造体７２’は沈むことがない構造となる。また、浮島構造体７２’が、ガイドポール６８から離脱し、単独で海上を浮遊するときに、下部チャンバー９６に海水が充満していることでその重量により、浮島構造体７２’の横転を防止でき、安定的に海上を浮遊することができる。
【００６０】
尚、浮島構造体７２’の下部チャンバー９６の底部に形成した穴に蓋を設け、浮島構造体７２’がガイドポール６８から脱出したときに、自動的に蓋が開き、海水が下部層に入り込む構成とすることもできる。他の構造は図１２に示す構造と同一である。尚、上記実施形態では、浮島構造体７２’の上板部を二重構造としたが、図１５に示すように、上板部７２ｂ’を浮島構造体７２’の本体から独立した一重構造としても良い。図１５の上板部の一重構造は、図１３に示す実施形態の一重構造と同一であり、また、胴部７２ａの内部構造は、図１４に示す実施形態と同一である。
【００６１】
尚、本発明は、避難用上板部をガイドポールに対して回転しない構造としたが、浮島構造体の本体と連動して、ガイドポールに対して回転する構成としても良い。また、上記実施形態において、ガイド用の転動体はローラを使用したがローラ以外に球体を用いても良く、特にローラに限定されるものではない。
【符号の説明】
【００６２】
２        津波避難装置
４        貯水用容体
４ａ      底部
６        ガイドポール
６ａ      外側ポール
６ｂ      内側ポール
８        浮島構造体
８ａ      管状部
８ｂ      底壁部
８ｃ      周壁部
８ｄ      上壁部
１０      丘
１２      転動体
１４      転動体
１６      ストッパー
１８      方向舵
２０      流線形ブロック
２２      転動体
２４      ストッパー
２６      ストッパー
２８      想定外脱出キャップ
３０      ストッパー機構
３０ａ    ストッパー
３２      導管
３４      海水取り入れ口
３６      はしご
３８      給排水用パイプ
４０      ポンプ
４２      補強材
４４      防災用品入れ
４６      フェンス
４８      波除け部材
５０      上板部
５２      溝
５４      管状部
５６      ガイド用転動体
５８      ガイドポール
６０      転動体
６２      管状部
６４      ガイド用転動体
６６      浮体素材
６８      ガイドポール
７０      支柱ブロック
７２      浮島構造体
７２ａ    胴部
７２ｂ    上板部
７２ｃ    上板部
７２ｄ    管状部
７２ｅ    管状部
７２ｆ    係合部
７４      転動体
７６      溝
７８      転動体
８０      安全フェンス
８２      転動体
８４      支持体
８６      平板体
８８      階段
９０      安全フェンス
９２      浮体素材
９４      上部チャンバー
９６      下部チャンバー
【図１】
2014129642.tif 000003
【図２】
2014129642.tif 000004
【図３】
2014129642.tif 000005
【図４】
2014129642.tif 000006
【図５】
2014129642.tif 000007
【図６】
2014129642.tif 000008
【図７】
2014129642.tif 000009
【図８】
2014129642.tif 000010
【図９】
2014129642.tif 000011
【図１０】
2014129642.tif 000012
【図１１】
2014129642.tif 000013
【図１２】
2014129642.tif 000014
【図１３】
2014129642.tif 000015
【図１４】
2014129642.tif 000016
【図１５】
2014129642.tif 000017